【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】  ロール上の面／塗工の状態をモニタし、該ロールの面／塗工を横移動清浄／研磨装置によって清浄および／または研磨する、抄紙機もしくは紙仕上装置のロールの状態調整方法において、該方法は、前記ロールの清浄度および／または状態を操業中に継続して測定し、測定結果に基づいて該ロールの面／塗工を清浄および／または研磨して、該ロールを常時、良好な状態に保ち、紙質のレベルを所望の水準に保ち、前記清浄／研磨装置の研磨圧を前記測定結果に基づいて制御することを特徴とする抄紙機もしくは紙仕上装置のロールの状態調整方法。
【請求項２】  請求項１に記載の方法において、該方法は、清浄および研磨を同じ装置によって行なうことを特徴とする状態調整方法。
【請求項３】  請求項１または２に記載の方法において、該方法は、前記ロールを装置の組立体によって測定し、状態調整を行なうことを特徴とする状態調整方法。
【請求項４】  請求項３に記載の方法において、該方法は、前記ロールの形状および真円度を測定し、この測定にて確認される形状および真円度の誤差を前記装置の組立体によって修正することを特徴とする状態調整方法。
【請求項５】  請求項３または４に記載の方法において、該方法は、前記ロールの測定、清浄／状態調整に用いる前記装置の組立体の制御において、前記抄紙機／紙仕上装置の制御システムから受信する測定データを考慮に入れることを特徴とする状態調整方法。
【請求項６】  請求項３ないし５のいずれかに記載の方法において、該方法は、前記ロールの位置、例えば垂れ下がりの何らかの誤りと該ロールおよび前記装置の組立体のフレーム構造における誤りを測定し、補償することを特徴とする状態調整方法。
【請求項７】  請求項３ないし６のいずれかに記載の方法において、該方法は、前記ロールの面を前記装置の組立体に含まれ処理中は該ロールの面に接触する部材によって測定し、該部材に偏位測定検出器が配設され、該検出器は、前記ロール面に接触する部材によって前記検出器へ供給され前記ロール面上の妨害点から生じる変化を信号として前記制御システムへ送信し、修正作業を前記装置の組立体によって開始することを特徴とする状態調整方法。
【請求項８】  請求項７に記載の方法において、前記ロール面に接触する部材の接触点は、該面に対して摺動する面、もしくは該面上を転動する部材からなり、該面もしくは部材を前記ロールの面に定常的に押し付けることを特徴とする状態調整方法。
【請求項９】  請求項７ないし８のいずれかに記載の方法において、前記ロール面に接触する部材およびその検出器は前記ロールの軸方向に横断しながら、前記部材は定常的に前記ロール面に接触することを特徴とする状態調整方法。
【請求項１０】  請求項７または８に記載の方法において、前記ロール面の状態は、前記ロールの軸方向に並べて配された多数の検出器によってモニタすることを特徴とする状態調整方法。
【請求項１１】  請求項７ないし10のいずれかに記載の方法において、該方法は、前記ロール面と常時接触するドクタもしくはその等価物に取り付けられた検出器を用い、該検出器の数を１個もしくは数個にすることができることを特徴とする状態調整方法。
【請求項１２】  請求項10または11に記載の方法において、並べて配された多数の検出器により受信される信号を処理し、様々な検出器から到着する振動により生じる信号の遅延および強度を測定することによって妨害の場所を特定することを特徴とする状態調整方法。
【請求項１３】  請求項９ないし12のいずれかに記載の方法において、前記検出器として振動検出器を用い、これによって前記ロールの面により生じる振動を測定することを特徴とする状態調整方法。
【請求項１４】  請求項１ないし13のいずれかに記載の方法において、該方法は、カレンダロールを清浄および／または状態調整することを特徴とする状態調整方法。
【請求項１５】  請求項１ないし14のいずれかに記載の方法において、該方法は、重合体塗工されたロールを清浄および研磨することを特徴とする状態調整方法。
【請求項１６】  請求項１ないし15のいずれかに記載の方法において、該方法は、カレンダの重合体塗工されたロールを清浄および／または研磨し、前記塗工におけるホットスポットタイプの損傷を検出し除去することを特徴とする状態調整方法。
【請求項１７】  ロール上の面／塗工の状態をモニタし、該面／塗工を清浄および／または研磨する横移動手段を含む、抄紙機および／もしくは紙仕上装置のロールの状態調整装置において、該装置は、清浄／状態調整装置、制御装置および測定装置を含む装置の組立体から成り、該装置の組立体は、定常的に作動し、操業中に作動でき、前記清浄／研磨装置の研磨圧は、前記測定装置によって得られた測定結果に基づいて制御されるように構成されていることを特徴とする抄紙機および／もしくは紙仕上装置のロールの状態調整装置。
【請求項１８】  請求項17に記載の状態調整装置において、前記清浄／研磨装置は同じ装置であることを特徴とする状態調整装置。
【請求項１９】  請求項17または18に記載の状態調整装置において、前記測定装置は、前記ロール面の清浄度および状態を測定する測定用部材を含むことを特徴とする状態調整装置。
【請求項２０】  請求項17ないし19のいずれかに記載の状態調整装置において、前記測定装置は、前記ロールの形状および真円度を測定する測定装置を含むことを特徴とする状態調整装置。
【請求項２１】  請求項17ないし20のいずれかに記載の状態調整装置において、前記測定装置は、前記ロールの位置を測定し該ロールの測定および前記装置の組立体の位置の測定をする測定装置を含むことを特徴とする状態調整装置。
【請求項２２】  請求項17ないし21のいずれかに記載の状態調整装置において、前記装置の組立体は研磨パラメータを調整する部材を含むことを特徴とする状態調整装置。
【請求項２３】  請求項17ないし22のいずれかに記載の状態調整装置において、前記装置の組立体は、製品を処理する前記ロールの面に当接し偏位測定検出器が配設された接触部材と、該検出器により生成される信号を送信するデータ転送線と、該データ転送線へ接続されて前記信号を受信し処理する記録装置とを含むことを特徴とする状態調整装置。
【請求項２４】  請求項17ないし23のいずれかに記載の状態調整装置において、該装置は、前記接触部材を実質的に前記ロールの軸方向に移送するように配設された横移動装置を含むことを特徴とする状態調整装置。
【請求項２５】  請求項23に記載の状態調整装置において、いくつかの検出器が前記ロールの軸方向に並べて配設されていることを特徴とする状態調整装置。
【請求項２６】  請求項23、24または25に記載の状態調整装置において、該装置は、前記ロール面修正装置と通信する制御装置を含み、該制御装置は、該修正装置を前記記録装置のデータに基づいて制御するように配設されていることを特徴とする状態調整装置。
【請求項２７】  請求項23ないし26のいずれかに記載の状態調整装置において、前記偏位測定検出器は振動検出器であることを特徴とする状態調整装置。
【請求項２８】  請求項17ないし27のいずれかに記載の状態調整装置において、該装置は、カレンダロールの状態調整に使用されるように配設されていることを特徴とする状態調整装置。
【請求項２９】  請求項17ないし28のいずれかに記載の状態調整装置において、該装置は、カレンダにおける重合体塗工されたロールの状態調整に使用されるように配設されていることを特徴とする状態調整装置。
【請求項３０】  請求項17ないし29のいずれかに記載の状態調整装置において、該装置は、カレンダにおける重合体塗工されたロールの状態調整に使用されて、前記塗工におけるホットスポットタイプの損傷を検出し除去するように配設されていることを特徴とする状態調整装置。